(57)【要約】  本発明は、フロアを部屋に設置することを目的とするフロアパネルセットであって、前記セット（２）は複数の第１のフロアパネル（１Ａ）を有し、これらの第１のフロアパネル（１Ａ）は、共通の形状および寸法を有することを特徴とし、かつ、前記セット（２）は、さらに、共通の形状および／または共通の寸法への適応加工を示す１枚以上の第２のフロアパネル、または、この目的のために設けられた１枚以上の第２のフロアパネルを含み、前記適応加工（１２）は前述の部屋（３）に応じて実施されることを特徴とするフロアパネルセットである。また、本発明は、フロアパネル（１Ａ−１Ｂ）のこのようなセット（２）を組み立てる方法に関する。【選択図】  図１
2020514575.tif 000002
【特許請求の範囲】
【請求項１】
フロアを部屋（３）に設置するためのフロアパネルのセットであって、前記セット（２）は複数の第１のフロアパネル（１Ａ）を有し、これらの第１のフロアパネル（１Ａ）は、共通の形状および寸法を有することを特徴とし、かつ、前記セット（２）は、さらに、共通の形状および／または共通の寸法への適応加工を示す１枚以上の第２のフロアパネル（１Ｂ）、または、この目的のために設けられた１枚以上の第２のフロアパネル（１Ｂ）を含み、前記適応加工（１２）は前記の部屋（３）に応じて実施されることを特徴とするフロアパネルのセット。
【請求項２】
前記部屋（３）にフロアを設置するために必要な少なくとも前記第１および第２のフロアパネル（１Ａ−１Ｂ）を有することを特徴とする請求項１に記載のフロアパネルのセット。
【請求項３】
前記フロアパネルのセット（２）は、前記部屋（３）にフロアを設置するためのさらなる適応加工を行わずに適用できることを特徴とする請求項１または２に記載のフロアパネルのセット。
【請求項４】
前記適応加工（１２）が前記フロアパネルの長さ（Ｌ）および／または幅（Ｗ）を短縮することからなることを特徴とする請求項１から３までのいずれか１項に記載のフロアパネルのセット。
【請求項５】
前記適応加工（１２）が前記フロアパネル（１Ｂ）の１つ以上の端（４−５−６−７）上の突出部を除去することからなることを特徴とする請求項１から４までのいずれか１項に記載のフロアパネルのセット。
【請求項６】
前記適応加工（１２）がフロアパネル（１Ｂ）の１つ以上の端（４−５−６−７）上に輪郭（１６）を設けることからなり、この輪郭は、前記部屋（３）の壁（３６）の経路に従うことを特徴とする請求項１から５までのいずれか１項に記載のフロアパネルのセット。
【請求項７】
前記適応加工（１２）が、導管の通路に対して凹部（１７）および／または適応片（１８）を提供することからなることを特徴とする請求項１から６までのいずれか１項に記載のフロアパネルのセット。
【請求項８】
前記適応加工（１２）が、前記各フロアパネル（１Ｂ）から前記余剰部分（２６）を除去することにより行われることを特徴とする請求項１から７までのいずれか１項に記載のフロアパネルのセット。
【請求項９】
前記適応加工（１２）が、前記各フロアパネル（１Ｂ）の前記余剰部分（２６）と前記有用部分（２５）との間に破断線（２２）を設けることによって行われることを特徴とする請求項１から８までのいずれか１項に記載のフロアパネルのセット。
【請求項１０】
適応加工（１２）を含む、またはこの目的のために設けられる複数の前記フロアパネル（１Ｂ）は、パッケージユニット内にパッケージ化されていることを特徴とし、かつ、このユニットは、前記適応加工（１２）によって生成される前記余剰片（２６）も含むことを特徴とする請求項１から９までのいずれか１項に記載のフロアパネルのセット。
【請求項１１】
フロアを部屋に設置するためのフロアパネルのセットを組み立てる方法であって、この方法は、少なくとも前記部屋（３）の面積に従ってデータセットを生成するステップと、前述の部屋に適した設置プラン（４０）を確立するステップと、前記確立した設置プランに従って適応加工（１２）を含む前記要求されたフロアパネル（１Ｂ）、またはこの目的のために設けられる前記要求されたフロアパネル（１Ｂ）を製作するステップと、共通の寸法を有する、必要な量のフロアパネル（１Ａ）を少なくとも提供するステップと、を含む方法。
【請求項１２】
前記の設置プラン（４０）を確立するステップは、コンピュータによって実行され、前記コンピュータは、前記データセットに基づいて、所望の制限を検討して、設置プランを提案することを特徴とする請求項１１に記載の方法。
【請求項１３】
前記の設置プラン（４０）を確立するステップは、コンピュータによって実行され、前記コンピュータは、前記データセットに基づいて、所望の制限を検討して、前記のサーフェス・エリア・プランの提示上においてグラフィック的に前記ユーザによって提供された設置プランを評価することを特徴とする請求項１１に記載の方法。
【請求項１４】
フロアを部屋に設置するためのフロアパネルのセットを組み立てる方法であって、前記セット（２）は、複数の第１のフロアパネル（１Ａ）を備え、これらの第１のフロアパネル（１Ａ）は共通の形状および寸法を有し、かつ、前記セット（２）は、さらに、前記共通の形状および／または前記共通の寸法への適応加工を示す１枚以上の第２のフロアパネル（１Ｂ）、または、その目的のために設けられた１枚以上の第２のフロアパネル（１Ｂ）を含み、前記適応加工（１２）は、前述の部屋（３）に対応するものであり、この方法は、少なくとも前記部屋（３）の面積に従ってデータセットを生成するステップと、前述の部屋に適した設置プラン（４０）を確立するステップと、前記確立した設置プランに従って適応加工（１２）を含む前記要求されたフロアパネル（１Ｂ）、または、この目的のために設けられる前記要求されたフロアパネル（１Ｂ）を製作するステップと、共通の形状および寸法を有する、必要な量のフロアパネル（１Ａ）を少なくとも提供するステップと、を含む方法。
【請求項１５】
前記の設置プラン（４０）を確立するステップは、コンピュータによって実行され、前記コンピュータは、前記データセットに基づいて、所望の制限を検討して、設置プランを提案することを特徴とする請求項１４に記載の方法。
【請求項１６】
前記の設置プラン（４０）を確立するステップは、コンピュータによって実行され、前記コンピュータは、前記データセットに基づいて、所望の制限を検討して、前述のサーフェス・エリア・プランの提示上においてグラフィック的に前記ユーザによって提供された設置プランを評価することを特徴とする請求項１４に記載の方法。
【請求項１７】
コンピュータが、前記のデータセットに基づいて、前記部屋（３）の詳細な設置プランを提案し、前記方法は、少なくとも、
Ｓ１）前記パネル列の前記主方向を決定するステップであって、この主方向が好ましくは、前記ユーザによって入力されるステップと、
Ｓ２）前記パネル列の長手方向の端の前記位置を決定するステップと、
Ｓ３）前記パネル列の長手方向の端と前記デジタルサーフェス・エリア・プラン、より具体的には、このサーフェス・エリア・プランの外部および、さらに好ましくは、内部の境界との交点を計算するステップと、
Ｓ４）前記交点に基づいて、完全幅のパネル列の開始位置および停止位置、並びに同じパネル列に延在する凹型および凸型ループの位置を決定するステップと、
Ｓ５）所望の制限と各パネル列にある可能な凹型ループを検討して、各パネル列の開始位置と停止位置の間の第１および第２のフロアパネルを提示するステップと、
Ｓ６）ある場合には、所望の制限も考慮して前記凸型ループの前記位置に第２のフロアパネルを提示するステップと、
を含む請求項１４または１５に記載の方法。
【請求項１８】
前記パネルを提案するステップは、毎回利用可能なフロアパネルまたはフロアパネル部品のデータベース（５６）から、例えば、前記利用可能なフロアパネルまたは部品の前記個々の長さを考慮して、利用可能なフロアパネルから開始して実行することを特徴とする請求項１７に記載の方法。
【請求項１９】
前記データベース（５６）には、第２のフロアパネル（１Ｂ）の余剰部分（２６）に関するデータが設けられていることを特徴とする請求項１８に記載の方法。
【請求項２０】
前記所望の制限が、隣接する列（１４）のフロアパネル（１Ａ−１Ｂ）の短い端同士の間に最低限保持される必要のある距離（Ｂ）を少なくとも含むことを特徴とする請求項１５から１９までのいずれか１項に記載の方法。
【発明の詳細な説明】
【技術分野】
【０００１】
本発明は、フロアパネル(floor panels)のセットと、そのセットの組み立て方法に関するものである。
【０００２】
より具体的には、本発明は、特定の部屋にフロアを設置するためのフロアパネルのセットに関するものである。
【背景技術】
【０００３】
フロアパネルで組み立てられたフロアカバー(floor coverings which are composed of floor panels)は、例えば、特許文献１から広く知られている。ここに開示されたフロアパネルは、特に積層フロアパネル(laminate floor panels)に関するものであり、これらは、それらの端(their edges)に機械的連結部品(mechanical coupling parts)が設けられており、この連結部品により、積層フロアパネルを連続するフローティングフロアカバー(a continuous floating floor covering)に組み立てることができる。特許文献１のフロアパネルは、平均的な日曜大工なら自分でフロアカバーを設置することができ、まず、このタイプのフロアパネルでは、パネル同士の接着が必要ではない。供給されるフロアパネルは、すべて共通の形状および寸法を持ち、それらを実際に設置する場合、フロアを設ける部屋にフロアパネルを円滑に適合させるには、例えば、フロアパネルの最後の列の先頭または終端など、ユーティリティの導管(utility conduits)を通過させなければならないなどの特別な状況が起きうる場合には手動スキルと専門知識(a certain manual skill and expertise)が必要とされる。さらに、良好な設置のためには、列の先頭および最終パネルの最小寸法、隣接する列のフロアパネルの短い端同士の間の最短距離、壁における十分な大きさのエクスパンション・ジョイント(a sufficiently large expansion joint)など、特定の条件を満たす必要がある。エクスパンション・ジョイントのサイズは、フロアカバーの種類および／またはフロアカバーを設ける部屋が配置される地理的地域(geographical region)に依存することが多い。これらの条件を１つでも満たしていない場合には、保証が失われ、欠陥のあるフロアとなる可能性がある。部屋に必要な適応加工(adaptations)を行うには時間がかかり、騒音や粉塵が発生するため、今のところは必要な不便と考えられている。また、寸法が大きく、例えば、長さが１８０センチメートル以上、幅が２０センチメートル以上のフロアパネルが市場動向(a market trend)にあることにも留意すべきである。これにより、フロアを同一の部屋に設置するためには、より多くの適応加工が必要となることも必然である。多くの場合、必要な適応加工もパネルが大きくなればなるほどより困難である。
【０００４】
特許文献２から、例えば、世界地図のような広範囲にわたる装飾が複数のフロアパネル上に延在するフロアパネルを製造する方法が知られている。それぞれのフロアパネルには、デジタルで装飾が施され、ユーザーの審美的欲求を満たすことができるようになっている。平滑に設置するために、フロアパネルに識別マーク(an identification mark)を設けることができる。しかしながら、設置には、依然として、上述のような適応加工が必要である。
【０００５】
特許文献３から、ベニヤフロアパネルの最上層に設けることを意図したベニヤを最適な方法で木から切り出す方法が知られている。ベニヤの端は、木材の自然な湾曲にほぼ従って形成されるが、同様のベニヤと共に、所定のフロア面を形成するように適応加工される。ベニヤの輪郭は、フロアを設置する部屋のフロア面から始まり、例えば、隣接する列のべニヤの短い端同士の間の最短距離に関し、前提条件を考慮に入れたコンピュータプログラムによって決定される。得られたベニヤは、パーティクルボード(a particle board)のような同様に形成された基板上に接着されるが、不規則な形状のフロアパネルが得られ、それにも関わらず、それぞれの部屋のための完全に密着したフロア面を提供する。すべてのフロアパネルにはラベルが付属している。特許文献３の方法は煩雑であり、例えば、通過するユーティリティの導管を通さなければならない場合、もしくは例えば、支柱(support posts)、壁、または家具を区画する重い固体(heavy solid made-to-measure furniture)など、他の固体の物体が部屋に存在する場合などには、解決方法を提案することができない。
【先行技術文献】
【特許文献】
【０００６】
【特許文献１】国際公開第９７／４７８３４号
【特許文献２】国際公開第２００１／０４７７１７号
【特許文献３】国際公開第２０１４／１９５２８１号
【発明の概要】
【発明が解決しようとする課題】
【０００７】
本発明は、フロアを部屋に設置することを目的とする別のフロアパネルのセットを主目的とするものであり、種々の好ましい実施形態によれば、当技術水準の状態のフロアカバーの１つ以上の問題に対して解決策を提供するものである。
【課題を解決するための手段】
【０００８】
この目的のために、本発明は、第１の独立した視座(aspect)によると、フロアを部屋に設置するのに適した、そして、好ましくは、それを目的としたフロアパネルのセットに関するものであり、前記セットは、複数の第１のフロアパネルを有し、これらの第１のフロアパネルは、共通の形状および寸法を有し、前記セットは、さらに、共通の形状および／または共通の寸法への適応加工を示す、またはこの目的のために設けられた、１枚以上の第２のフロアパネルを含み、前記適応加工は前述の部屋によるものであることを特徴とする。
【０００９】
「部屋の中にフロアを設置することを目的とするフロアパネルのセット」とは、このセットはまだ設置されていないが、予め製作されており、特に、少なくとも上述の第２のフロアパネルは、必要な適応加工をしてある、もしくはこの目的のために設けられたものであって、前記それぞれの部屋に設置される必要があることを意味する。
【００１０】
上述の第１のフロアパネルは、実際には、製造上の誤差または、例えば、木材フロアパネルの場合には、相対湿度含有量の差(a difference in the relative humidity content)などのような気候の違いにより形状および寸法のわずかな違いを示す場合があることは明らかである。当業者にとっては、これらの第１パネルが、それぞれ異なる寸法または形状を示す場合においても、２枚以上の第１のフロアパネルが依然として共通の形状または寸法を示すことが明らかである。これらの差は、それでも例えば、それぞれのフロアタイプの基準における最大許容偏差内であり、例えば、積層フロアパネルの場合には、ＥＮ１３３２９の基準の最大許容偏差内であることは明らかである。
【００１１】
さらに、形状と寸法によって、フロアパネルの平面内の形状および寸法を表していることが明らかである。もちろん、第１のフロアパネルおよび第２のフロアパネルは、同じ厚さを示すことが好ましい。
【００１２】
第１のフロアパネルの最も重要な例によれば、これらは長方形であり、好ましくは、長円形のフロアパネルであり、これらの第１のフロアパネルは、長さと幅の両方を共通としている。この例によれば、第１のフロアパネルは共通の長さと幅寸法を有する共通の長方形形状を有する。第１のフロアパネルの別の例によれば、これらは長方形および長円形のフロアパネルであり、これらの第１のフロアパネルの幅のみが共通であり、長さはランダムに変化するか、または限定されたセット、例えば、３つの異なる幅のセットから選択される。ランダムな長さは、しばしばパネルと共に固体の寄木細工の床(solid parquet)に使用される。この例によれば、第１のフロアパネルは共通幅寸法を有する共通長方形形状を有しているが、互いに異なる長さ寸法を有している。第１のフロアパネルのさらに別の例によれば、これらは長方形および長円形のフロアパネルであり、これらの第１のフロアパネルの長さのみが共通であり、幅は限定されたセット、例えば、３つの異なる長さのセットから選択される。このようなフロアパネルによって、パネルの幅が広いものと狭いものが交互に並ぶように設置することができる。この例によれば、第１のフロアパネルは共通長さ寸法を有する共通長方形形状を有しているが、互いに異なる幅寸法を有している。
【００１３】
本発明によるフロアパネルのセットが複数のタイプの第１のフロアパネルを含み得ることを除外しないことは明らかである。したがって、例えば、フロアパネルのセットは、第１の、例えば、長方形を有する第１のタイプの複数の第１のフロアパネル、並びに、第２の、例えば、長方形の第２のタイプの複数の第１のフロアパネルを含んでいてもよい。このようなセットは、例えば、第１のタイプの第１のフロアパネルからなる中央がタイルモチーフで、端が、第２のタイプの第２のフロアパネルからなる厚板のモチーフによって囲まれたフロアカバーを実現することを目的としたものでもよい。よって、毎回、好ましくは、フロアパネルのセットは、それぞれに対応する第２のフロアパネル、すなわち第１のタイプの第１のフロアパネルの形状と寸法に適応加工した第１のタイプの第２のフロアパネル、ならびに、第２のタイプの第１のフロアパネルの形状および寸法に適応加工した第２のタイプの第２のフロアパネルも備える。
【００１４】
一般に、本発明のセットにおける第１のフロアパネルの寸法および形状は、いかなる方法においても適応加工しないことが明らかであり、そしてそれらの設置が意図される部屋に従うものではないことが明らかである。恐らく、実際には、部屋の場所を示すためのマークを付ける必要があるかもしれない。
【００１５】
第１のフロアパネルは、好ましくは、標準フロアパネルであり、例えば、長方形および長円形フロアパネル、好ましくは、２．５メートルよりも長さが短い。フロアパネルの大量生産は、この形状に調整される。好ましくは、パネルの幅は、１０センチメートルから２５センチメートルの間であり、および／またはパネルの長さは、８０センチメートルから１５０センチメートルの間である。フロアパネルのセットは、共通の形状および寸法、好ましくは、共通の長さと幅を有する少なくとも第１のフロアパネルと、適応加工した第２のフロアパネルとの組合せに関連し、合理的な方法で、該部屋の寸法に合わせて適応加工されたフロアを提供することができる。
【００１６】
最も好ましい実施形態によれば、上述の適応加工は、実際の設置の前、そして別途行われる適応加工に関連する。したがって、例えば、フロアパネルの製造者は、必要な適応加工を行うことができ、またはフロアパネルの小売業者がこれを行うことができる。さらに明らかとなるように、第２のフロアパネルも、例えば、破断線(a break line)を有するか、または適応加工に適した分割線(the dividing line)がフロアパネル上に示されるように、適応加工されて提供することができる。したがって、本発明の範囲内では、これは、毎回、実際の設置の前、そして別途行われる破断線または指示マーク(indications)に関連するものである。
【００１７】
好ましくは、セットは、少なくとも、前述の部屋にフロアを設けるのに必要な数の第１および第２のフロアパネルを含み、第２のフロアパネルは、それぞれの部屋に応じて必要な適応加工を含み、またはこれらの適応加工用に提供される。
【００１８】
好ましくは、フロアパネルのセットは、それ以上の適応加工をせずに前述の部屋にフロアを設置するように構成されている。
【００１９】
好ましくは、上述のセットは、少なくとも第２のフロアパネルを含み、上述の適応加工は、フロアパネルの長さおよび／または幅を短縮することを含み、あるいは、前記適応加工は、そのような短縮を含む。長さが適応加工されたフロアパネルは、列の先頭または終端を形成することができ、第１のフロアパネルは、先頭にある適応加工されたフロアパネルと列の終端のそれとの間に設置される。幅が適応加工されたフロアパネルは、壁と平行またはほぼ平行な列で機能できる。長方形の部屋の場合、これは先頭の列および／または最終列を意図したものでもよい。
【００２０】
なお、理解しやすいように付け加えると、ランダムな長さの第１のフロアパネルを使用する場合、長さを短縮した第２のフロアパネルは、第１のフロアパネルとは少なくとも、短縮が行われる短い端には、これら第２のフロアパネルは、エッジ特性(edge characteristics)を有しない点で異なる。例えば面取り(a possible chamfer, coupling means of other)、例えば他の突出部の面取りは、その端では省略されるが、これは実際には第１のフロアパネルに存在する。
【００２１】
好ましくは、上述のセットは、少なくとも第２のフロアパネルを含み、上述の適応加工は、フロアパネルの１つ以上の端上の突出部を完全または部分的に除去することからなる、またはこの適応加工にそのような除去が含まれる。これは例えば、突出舌部(a protruding tongue portion)または突出溝リップ部(a protruding groove lip portion)のような端に存在する連結部の除去された部分に関連している場合もある。この最先端の技術によれば、フロアの設置者は、フロアを設置する際に、そのような部分を除去して、例えば、壁に対してよりコンパクトなエクスパンション・ジョイントを得る。したがって、フロアカバーの開始列に対しては、長い端上に存在する突出舌部を除去することができる。
【００２２】
好ましくは、上述のセットは、少なくとも第２のフロアパネルを含み、上述の適応加工は、フロアパネルの１つ以上の端上にある、適応加工された輪郭(an adapted contour)からなる、あるいはこの適応加工にそのような適応加工された輪郭が含まれる。ここで、上述の輪郭は、フロアを設ける必要のない前述の部屋の一部である壁や他の端の進路に追従することができる。このような輪郭を提供することは、例えば、フロア設置の開始時または終了時に、長いパネル端とは平行でない、またはまったく平行でない壁を有する場合に適している。好ましくは、適応加工された輪郭は、エクスパンション・ジョイントが適応加工された輪郭と壁との間に残るように構成される。好ましくは、エクスパンション・ジョイントは、少なくとも幅が一定であるか、少なくとも４０％未満の幅が変化するものである。そのため、例えば、エクスパンション・ジョイントの幅は、約１０ミリメートル±２ミリメートルとすることができる。好ましくは、エクスパンション・ジョイントの幅は、フロアが設けられる部屋が位置する地理上の位置の機能に合わせて適応加工される。したがって、例えば、木質系フローリング製品では、スカンジナビアなどの北部地域では、リビングスペースの暖房により空気中の湿度が低くなるため、冬季のフロア製品の乾燥と収縮を考慮する必要がある。オセアニアなどの南部地域では、夏の間に相対湿度が高くなり、フロア製品が膨張することも考慮されなければならない。
【００２３】
好ましくは、上述のセットは、少なくとも第２のフロアパネルを含み、前記適応加工は、それぞれのパネル上の導管を通過させることを意図した凹部および／または適応片(adaptation pieces)を設ける、あるいは適応加工は、そのような凹部および／または適応片を含む。このような凹部および適応片は、例えば、加熱パイプがフロア面から突出するような場所に設けるのが望ましい。ここで、適応片は、例えば、部屋から見て、加熱パイプの後方に位置するパネル部である。フロアを設置する際には、各配管の周囲で作業を行うために、このようなパネル部または適応片は、実際の第２のフロアパネルとは別に設置する必要がある。好ましくは、適応片は、それぞれの実際の第２のフロアパネルではなく、他の標準フロアパネルから得る。このようにして、適応片と実際の第２のフロアパネルとの間の鋸線(a saw line)または他の切断線(other cutting line)によって形成されるいわゆる中間距離(an intermediate distance)がなくても、適応片と実際の第２のフロアパネルとの間を完全に接続することができる。好ましくは、適応片は、他の標準フロアパネルから得た場合には、その装飾面(its decorative side)が実際の第２のフロアパネルの装飾面と一致するようにして実現される。最も好ましい実施形態によれば、この目的への適応片は、実際の第２のフロアパネルが取得される標準フロアパネルと同一の装飾面を有する標準フロアパネルから得られるものであり、好ましくは、適応片は、適応片と実際の第２のフロアパネルの部分との装飾が互いにシームレスにまたは実質的にシームレスに融合するように、実際の第２のフロアパネルの除去した破片に対応する標準フロアパネルの位置から取る。同じ装飾面を有するフロアパネルは、典型的には、例えば、この例では、例えば、積層フロアパネルまたはＬＶＴフロアパネル（高級ビニルタイル）のような、印刷装飾(a printed decor)を有するフロア製品に存在する。
【００２４】
好ましくは、前記適応加工は、各フロアパネルの余剰部分(an excess portion)を除去することを含む。ここで、これは、設置の前に、そして、設置とは別途に行われる除去に関連する。言い換えれば、各フロアパネルは、それぞれのフロアパネルが完全に配送され、設置先の部屋の中での位置を測定することができるようになる。
【００２５】
特定の代替案によれば、前記適応加工は、各フロアパネルの余剰部分と有用部分との間に設けられた破断線を含む。このような破断線により、例えば、鋸処理を必要とすることなく、最終的なユーザーまたは設置者が余剰部分を簡単に除去できるようになる。言い換えれば、各フロアパネルは、所定の破断線によって、パネルの設置先の部屋における位置の機能として容易に測定が可能となる。また、このような破断線は、設置の前に、そして、設置とは別に各第２のフロアパネルにも設けられている。好ましくは、第２のフロアパネルの有用部分(the useful portion)および／または余剰部分には、それぞれの部分が有用部分か余剰部分かをユーザーが導き出せるようにマークまたは他の指示マークが設けられる。
【００２６】
さらに別の代替案によれば、上述の第２のフロアパネルは、前述の部屋に対応するために、それぞれの第２のフロアパネルを適応加工するように構成された指示マークを備える。したがって、例えば、実行する必要のある各フロアパネルの分割は、その上に設けられた分割線によって示されてもよく、および／またはフロアパネルの余剰部分および／または有用部分をマークしてもよい。このような指示マークは、設置の前に、そして、設置とは別に、各フロアパネルにも設けられる。
【００２７】
さらに別の代替案によれば、上述の第２のフロアパネルは、例えば、設置するときに従う使用方法の説明を含む。ここでは、これは、例えば、それぞれの第２のフロアパネルを下地面に接着する指示に関連するが、一方、残りのフロアカバーは実質的にフローティングフロアカバーで構成する。これは、例えば、いわゆるＬＶＴ（高級ビニルタイル）のような熱可塑性フロアパネルの場合、直接入射日光を受ける場所では有用である。このような状況では、パネルが膨張する傾向があることが知られている。すると、ここで、パネルはフロア面から局部的に膨出する。これを防ぐために、パネルを下地面に局所的に接着するのが良い選択肢である。
【００２８】
本明細書で上記した破断線および／または指示マークは、例えば、フロアパネルの余剰部分または有用部分が小さい場合に特に有用である。主に、有用部分が小さい場合には、自動生産環境において不正確さが発生するリスクが高い。また、製造または設置のいずれにおいても、そのような部分を紛失してしまうリスクがある。フロアパネルの余剰部分を除去または完全に除去するのではなく、分割線を示すか破断線を提供することによって、より安定した梱包ユニット(a more stable packaging unit)が得られることもある。
【００２９】
上記した特定の代替案におけるような破断線は、様々な実際的な方法で実行することができ、その中で、ここでは網羅的なものではなく、いくつかの重要な可能性を列挙する。
【００３０】
第１の可能性によれば、破断線は、フロアパネルの有用な部分と余剰部分との間の所望の分割線に沿って配置された複数の貫通孔(a plurality of through-bores)を含むか、またはそれらからなる。好ましくは、分割線の少なくとも６０％は、このような孔によって形成される。このような孔が必ずしも円筒形である必要はないことは明らかである。
【００３１】
第２の可能性によれば、破断線は、フロアパネルの有用部分と余剰部分との間の所望の分割線の位置に、１つ以上の非貫通切り込み(one or more not through-going incisions)を含むか、またはそれらからなる。非貫通切り込みは、フロアパネルの上側もしくは下側、または両側で、分割線に沿って交互かそうでないかに関わりなく実行することができる。非貫通切り込みは、分割線全体にわたって存在してもしなくてもよい。好ましくは、それらは、分割線の少なくとも８０％以上に存在する。最も好ましい実施形態では、この切り込みは、少なくとも各フロアパネルの装飾面で行われ、好ましくは、切り込みは、それぞれの分割線全体にわたって延在する。このように、工場では、フロアパネルの可視面(the visible surface)上に質の良い切断を行うことができる。余剰部分の最終的な除去が有用部分の可視面を損傷するリスクは、最小限であると考えられる。代替案として、この切り込みは、少なくとも各フロアパネルの下側で行われる。好ましくは、各フロアパネルの上側または下側の残りの材料部分の厚さは、フロアパネルの厚さの１０％未満である。好ましくは、上側または下側の残りの材料部分の厚さは２ミリメートル未満である。このような厚さにより、カッターおよび同様な工具によって、余剰部分を簡単に除去することができる。
【００３２】
第３の可能性によれば、破断線は、実質的に分割線全体にわたって延在する、貫通しているか、していないかに関わりなくスロット(a whether or not through-going slot)を含み、またはスロットからなり、有用部分が、依然として、端に存在する１つ以上の連結部の残りの部分にわたって余剰部分に接続されるようになっている。その第１の例によれば、破断線は、そこに存在する連結部の遠位端から近位側(the distal ends)に、２つの異なる端、例えば対向する端(opposite edges)上にある位置の間で延在させてもよい。この場合、各端におけるこれらの連結部の遠位端は切断されない。このようにして、有用部分は、これらの遠位部分全体にわたって余剰部分に接続されたままとなる。これは、例えば、突出溝リップの一部、および／または端に突出する舌片の一部を含むことがある。第２の例によれば、破断線は、同じ端の異なる位置間に延在していてもよく、これらの位置は、毎回、そこに存在する連結部の遠位端から近位側に位置する。この第３の可能性によれば、スロットは、好ましくは、フロアパネルの装飾面上に位置する分割線の少なくとも全体にわたって延在するが、装飾面の端で突出するフロアパネルの一以上の部分を中断しないことが好ましいことが明らかである。その後、ユーザーは、中断されていない遠位部分を手動または単純なツールで切断することができ、その結果、有用部分が余剰部分から分離される。
【００３３】
第４の可能性によれば、破断線は、貫通するスロットを含むまたはスロットからなり、これは分割線の全体にわたって実質的に延在するものであるが、分割線の限られた部分、例えば、１０％未満の部分上にあるスロットは、貫通しないように構成されている。このようにして、フロアパネルの有用部分および余剰部分が、スロットの通過部分ではない位置に依然として接続されたままとなる。その後、ユーザーは、接続を手動で、または単純なツールで中断することができ、その結果、有用部分が余剰部分と分離される。
【００３４】
なお、一般に、破断線は、フロアパネルの余剰部分と有用部分との間の残りの接続を中断することが装飾面に影響を及ぼさないようにできることが好ましい。好ましくは、装飾面の所望の輪郭は、スロット、孔等によって既に設けられている。破断線を適切に選択することにより、残りの接続の中断が連結部の機能に影響を及ぼさないのは、例えば、有用部分と余剰部分が、下側の部分および／または連結部の輪郭より外側に位置するフロアパネルの芯の部分、例えば、パネルの芯および／または下側の中心に位置する部分によって連結されたままであるという点にある。
【００３５】
第１の視座のフロアパネルセットは、様々なタイプの第２のフロアパネルを含むことができることは明らかである。例えば、余剰部分が除去されるフロアパネル、余剰部分が有用部分と共に破断線上に設けられるフロアパネル、および／または有用部分と余剰部分を分離するために必要となる分割線の指示マークを有するフロアパネルなどである。また、同一のフロアパネルに、除去された部分、破断線および／または指示マークを含んでいてもよい。
【００３６】
好ましくは、適応加工を示す、またはこの目的で設けられた複数の上述のフロアパネルは、パッケージングユニット内にパッケージ化される。適応加工に余剰部分の除去も含まれる場合には、各ユニットもまた、前記適応加工または除去によって作成された１つ以上の過剰部分を含むのがよい。このようにして、パッケージユニット内で第２のフロアパネルが安定して積み重ねられる。
【００３７】
第１の視座の本発明は、フローティングフロアカバーを形成するのに適したフロアパネルで特に有用である。このようなフロアパネルは、日曜大工が設置するのに特に適しているが、十分に大きなエクスパンション・ジョイントを設けるような適応加工など、特定の適応加工が必要である。フローティングフロアカバー用のフロアパネルは、好ましくは、少なくとも２つの対向する端上に連結部を含み、その連結部により、このようなフロアパネルを２枚、互いに連結することができ、それぞれの端で、連結したパネルの面に対して垂直な方向並びにパネルの面の方向、そしてそれぞれの端に垂直な方向にロックされる。このような連結部は、例えば、ＷＯ９７／４７８３４から公知のようなタイプの、例えば、ロックング・タング・イン・グルーブ接続(a locking tongue-in-groove connection)として実現することができる。このような連結部は通常、上述の端の１つ以上の上に突出部を形成するものである。そのような場合には、多数のフロアパネルにおいて、１つ以上の端上の突出部が除去されるか、または除去されるように設けられる適応加工が望まれる。
【００３８】
第１の視座と同様の目的で、独立した第２の視座による本発明は、フロアを部屋に設置するためのフロアパネルのセットを組み立てる方法に関するものであり、この方法は、少なくとも前記部屋の面積に対応するデータセットを生成するステップと、当該部屋に適した設置プランを確立するステップと、確定した設置プランに従って、適応加工を含むまたは、この目的のために設けられた所要の第２のフロアパネルを形成するステップと、好ましくは、共通の形状および寸法、または寸法を有する少なくとも必要な量の第１のフロアパネルを提供するステップと、を含む。第２の視座による方法は、好ましくは、第１の視座またはその好ましい実施形態の特性を有するフロアパネルのセットを実現するために適用されることは明らかである。
【００３９】
少なくとも前記部屋の面積に応じて上述のデータセットを生成することは、好ましくは、自動計測装置によって行う。ここで、これは、部屋を走査する測定装置と関連することができ、このようにして、例えば、部屋のサーフェス・エリア・プラン(the surface area plan of the room)の一部の少なくとも２次元画像を含む点の群を生成することができる。それぞれの測定装置は、それぞれの部屋の異なる位置から、および／または異なる視点から、例えば、それぞれの部屋の壁の視認性に応じて、その測定を行うことができる。これによって作成された点の異なる群は、撮影されたそれぞれの部屋の面積、さらに詳しくはその壁の完全な画像が作成されるように、撮影された位置と視点によって、互いに参照される。この完全な画像はデジタル的に格納され、少なくとも前記データセットの基礎を形成する。
【００４０】
前述の設置プランの成立は、上記データセットに基づいて行うことが好ましい、あるいはデジタル・サーフェス・エリア・プランに基づいて行うことが好ましいことは明らかである。
【００４１】
実際に見られるように、前述の設置プランは、異なる方法で確立することができる。
【００４２】
第１の方法によれば、前述の設置プランを確立するステップはコンピュータによって実行され、コンピュータは前記データセットに基づいて所望の制限を検討して設置プランを提案する。所望の制限は、マニホルド(manifold)ででもよい。第１の制限は、第１のフロアパネル、または標準フロアパネルの寸法および形状である。これらの第１のフロアパネルは、個人的な嗜好に基づいてエンドユーザーが選択する、利用可能なフロア製品から取得される。第２の制限は、設置プランのタイプである。個人的な嗜好に基づいて、エンドユーザーは、ランダムパターンの列(rows in random pattern)、ハーフパターンの列(rows in half pattern)、それぞれの部屋の対角に従った列(rows according to the diagonal of the respective room)、およびヘリンボーンパターン(herringbone pattern)などの特殊なパターンの列を選択することができる。そのような設置プランは、好ましくは、隣接する列のパネルの短い端同士の間の最短距離の状態など、特定の条件を満たすようにする。好ましくは、エンドユーザーは、列またはパターンの主方向を指定することもできる。好ましくは、ユーザーは、フロアが設けられる部屋の地理上の位置を特定することもできる。例えば、それぞれのフロア製品に必要なエクスパンション・ジョイントの最小寸法などのさらなる制限を考慮すると、好ましくは、部屋の地理上の位置、例えば、列の最初または終端のパネルの最小寸法と、前記データセットまたはデジタル・サーフェス・エリア・プランに基づいて、コンピュータがそれぞれの部屋にフロアを設置するのに適した最終の詳細な設置プランを提案するものである。この設置プランから、第１のフロアパネル、つまり共通の形状および寸法を持つフロアパネルの必要な数、並びに前記第２のフロアパネルの数が必要な適応加工とともに計算できる。必要な適応加工の計算は、デジタル・サーフェス・エリア・プランと設置プランの交点／交線を決定することに基づいて行われる。計算結果を適用して、前述の部屋のフロアを設置することを意図したフロアパネルのセットを自動的に組み立てることができる。この自動的な組み立ては、とりわけ、上述の第１のフロアパネルと同様に、標準パネルに基づいて前記第２のフロアパネルを製造することを含んでいてもよい。この製造は、本発明の第１の視座の範囲内に記載された１つ以上の適応加工、あるいはこの目的のための規定を実施することを含んでいてもよい。好ましくは、上述の第２のフロアパネルそれぞれに対する上述の計算コンピュータ支援設計／コンピュータ支援製造（ＣＡＤ／ＣＡＭ）データを作成することによって、これらのデータは、ルーティングマシン(a routing machine)および／または短縮鋸(shortening saw)および／またはレーザ切断機(laser cutting machine)および／または水断裁機(water cutting machine)などのような加工機械や、必要な適応加工、指示マークおよび／または破断線を実現することができる切断装置を制御するのに適している。
【００４３】
第２の方法によれば、前述の設置プランを確立するステップはコンピュータによって実行され、コンピュータは前記データセットに基づいて所望の制限を検討してユーザーが提案した設置プランを評価する。所望の制限は、マニホルドででもよい。第１の制限は、第１のフロアパネル、または標準フロアパネルの寸法および形状である。これらの第１のフロアパネルは、個人的な嗜好に基づいてエンドユーザーが選択する、利用可能なフロア製品から取得される。第２の制限は、設置プランのタイプである。個人的な嗜好に基づいて、エンドユーザーは、設置プランのタイプを選択し、ランダムパターンの列を選択することができ、列のパターンには、それぞれの部屋の列、それぞれの部屋の対角に従った列、およびヘリンボーンパターンなどの特殊パターンが含まれる。ユーザーは、列またはパターンの主方向を指定することもできる。好ましくは、ユーザーは、フロアが設けられる部屋の地理上の位置を特定することもできる。このような設置プランは、好ましくは、隣接する列のパネルの短い端同士間の最短距離の条件など、特定の条件をすでに満たしている。すると、ユーザーは、上述のデータセットまたはデジタル・サーフェス・エリア・プランの選択に従って設置プランを提示することができるようになり、その後、コンピュータは、ユーザーの提案が、例えば、列の開始または終端にあるパネルの必要最小限の寸法が満たされているか否かなど、さらなる制限を満たすかどうかを評価し、それによって、選択されたフロア製品とそれぞれの部屋の地理上の位置において必要なエクスパンション・ジョイントを考慮に入れることができる。そうでない場合、ユーザーは、それぞれの部屋のフロアを設置するのに適切な最終詳細な設置プランが見つかるまで別の方法で設置プランを提示することができる。設置プランの提案はユーザーが評価するが、ユーザーが使いやすい方法でコンピュータが実行する反復作業を実行することができる。例えば、ユーザーが、選択されたタイプの設置プランを、例えば、上述のサーフェス・エリア・プランの上に、パネルの端のみを表す仮想レイヤ(a virtual layer)として、グラフィカルに提供することができる。ユーザーは、コンピュータが相互の位置が適切であることを示すまで、または、言い換えれば、さらに１つ以上の制限を満たすまで、設置プランおよび／またはサーフェス・エリア・プランの位置を変更する。設置プランおよび／またはサーフェス・エリア・プランの位置の変更は、例えば、キーボード、ジョイスティックおよび／またはマウスによって様々な方法で実施することができるが、好ましくは、タッチ起動スクリーンまたはタッチスクリーンを用いて行うことができる。この最後に説明した可能性によれば、ユーザーは、例えば、コンピュータが適切な相互の位置を見つけることができるまで、設置プランのタイプをサーフェス・エリア・プランの上に移動させる。一般に、適切な設置プランを見つけるための指示マークは、例えば、標識、色、音、コントラスト、振動および／または図によって、様々な方法で記述することができる。可能な設置プランと理想的な設置プランとの間には差がある可能性がある。設置プランがグラフィカルな方法でサーフェス・エリ���・プラン上に表示される場合、設置プラン、サーフェス・エリア・プラン、またはその両方は、適切な設置プランが達成されたときや近接したときに色を変更することができる。それぞれの部屋にフロアを設置するのに好適な最終詳細な設置プランが見つかると、共通の形状および寸法を有する第１のフロアパネル、すなわちフロアパネルの必要な数、並びに、前述のように、第１の方法で、同様の方法でフロアパネルのセットを組み立てることができるといった、必要な適応加工を行った上述の第２のフロアパネルの数を計算することができる。
【００４４】
上記した第１の方法または第２の方法によれば、適切な設置プランが見つからない場合、ユーザーは別のタイプの設置プランを選択することになる。適切な設置プランを見つけることができないのは、設置プランの各位置において、列の先頭または終端に非常に短いフロアパネルが存在する場合のような、ランダムパターンの場合に主に起きる。その場合、ユーザーは別のタイプの設置プランを選択することができる。この別のタイプは、ランダムパターンにも関連しているが、隣接する列のパネルの相互の位置が変更されたなどの違いによって、この他のタイプで、実際に適切な設置プランを見つけることができるようになる。
【００４５】
別の可能性によれば、コンピュータは、上記した第１または第２の方法により適切な設置プランが見つからない場合、設置プランのタイプに変更を提案することができる。これは主に、所望の制限が満たされない個所で起こりうる。例えば、非常に短い開始パネルがある列に存在するランダムパターンの場合、コンピュータは、この列の別の開始長さを提案することにより、適応加工した設置プランがそれぞれの部屋にフロアを設置するのに適したものとなる。
【００４６】
もちろん、コンピュータは適切な設置プランに対して追加的な制限を課すこともできる。したがって、例えば、設置の快適性(installation comfort)が向上するような制限が課せられることがある。例えば、フロアパネル列の端面の継ぎ目がドア開口部のある壁に対して垂直に配置されている場合、これらの継ぎ目の少なくとも１つがドア開口部の位置に配置されるようにすることが有利である。
【００４７】
所望の施工のしやすさと所望の顧客特異性(the desired customer specificity)によって、第２の視座の方法のいくつかのステップは、ユーザーに委ねられてもよいし、委ねなくてもよい。例えば、適切な設置プランの確立をエンドユーザーに委ねることができる。エンドユーザーは、コンピュータおよび適切なソフトウェアを用いてこれを実行することができるが、エンドユーザーが所望のタイプの設置プランを提出することが可能であり、それによりコンピュータおよび適切なソフトウェアによって製造者、販売者、アーキテクトにより適切な最終設置プランを確立するようにすることも可能となる。エンドユーザーが実行するステップに応じて、第２のフロアパネルの製造に他のデータが利用可能である場合もある。例えば、データはデジタル・サーフェス・エリア・プランのみで構成できる。データは、少なくとも、各第２のフロアパネルの幾何学的形状を含んでいてもよい。
【００４８】
上記した第１の方法の具体的な実施形態によれば、特に、所望のランダムパターンの場合には、上述のデータセットに基づいて、コンピュータが、ある部屋の詳細な設置プランを提案することが可能である。これは、特定の条件が既に満たされている場合には、必ずしも設置プランから開始する必要がないことを意味する。このような詳細な設置プランの確立は、好ましくは、以下のステップを含む。
−好ましくは、ユーザーが入力することにより、例えば、前記データセットにあるように、主方向は、デジタル・サーフェス・エリア・プランの境界(the borders)の一部に平行でなければならないことを示すことによって、パネル列の主方向を決定するステップ。
−パネル列の長手方向の端の位置を決定するステップ。このステップは自動的に実行することができ、好ましくは、パネル列の平均幅が最大であり、そのような端の各列の幅が各列の最大可能長さにわたって各フロア製品のパネルの幅の少なくとも半分である。
−パネル列の長手方向の端とデジタル・サーフェス・エリア・プラン、より具体的には、サーフェス・エリア・プランの外部と、さらに好ましくは、内部も含む境界との交点を計算するステップ。
−当該交点に基づいて、完全幅のパネル列の開始位置および停止位置並びに同一パネル列に延在する凹型および凸型ループ(concave and convex loops)の位置を決定するステップ。
−所望の制限と各パネル列にある可能な凹型ループを検討して、各パネル列の開始位置と停止位置の間の第１および第２のフロアパネルを提示するステップ。
−同様に所望の制限を考慮に入れた、前記凸型ループの位置に第２のフロアパネルを提示するステップ。
【００４９】
このようにして得られた詳細な設置プランを上記した第１の方法で説明されるようにさらに適用して、それぞれの部屋にフロアを設置するための、または設置するのに適したフロアパネルのセットを組み立てる。パネル列の長手方向の端の位置を決定するステップにおいて、２つ以上の幅のパネルを有するフロア製品の場合には、列の幅の所望の変動、例えば、交互に幅の広い列と狭い列を並べるなどを考慮する必要があることが明らかである。
【００５０】
詳細な設置プランは、列単位で構成されているため、最終的な設置プランでは、より広範な制限を満たすことができる。したがって、例えば、先に組み立てた列の第２のフロアパネルの余剰部分は、全体または部分的に、これから組み立てなければならない別の列の有用部分として、適用することも可能である。このようにして、より少ない損失で作業することができる。別の例によれば、ユーティリティ導管の通路は、一対の横方向のパネル端と一致させることができる。これにより、大幅に設置がしやすくなり、審美的かつ質的な結果が得られる。
【００５１】
また、上述の具体的な実施形態で構成される詳細な設置プランは、ランダム長さの第１のフロアパネルを有するフロア製品を使用する場合にも適用可能である。この場合、好ましくは、利用可能な第１のフロアパネルの長さを示すデータベースが存在する。これにより、適切なパネルを提案するステップは、このフロアパネルの個々の長さを考慮に入れながら、利用可能な、おそらく最も適した第１のフロアパネルから開始するたびに実行することができようになる。このデータベースから、最も適した第１のフロアパネルを選択して、必要な第２のフロアパネルとして適用することを選択することもできる。このような方法は、寄木細工パネルの場合に特に興味深い。すなわち木材製材所では短い木材の過剰量が発生することが多く、寄木細工の製造業者は実質的にはこの短い木材を取り入れざるを得ない。このような木材から、通常は３ストロークの寄木細工など、より安価な製品を組み立てる。本発明によれば、そのような短い木材は、アップサイクルして(upcycled)第１のフロアパネルのデータベースの一部を形成することができ、これにより、可能な場合には、第２のフロアパネルを設けるために適用できるようになる。製造公差が関連しうる場合、例えば、列の長さが長すぎるため、各列のフロアパネルの数が非常に多く、それ以上のパネル長の誤差は受け入れられない場合などに利用可能な第１のフロアパネルのデータベースを操作するのも興味深い。利用可能な第１のフロアパネルのデータベースのそのような原理も、もともとは第２のフロアパネルの余剰部分である、例えば、利用可能な長さなどのデータを格納するために適用することが可能である。これにより、さらに計算される設置プランによる次の第２のフロアパネルに対し、これらを考慮することができるようになる。
【００５２】
上記した実施形態に従って構成された詳細な設置プランにより、フロアを設ける部屋を非常に現実的に仮想視覚化することができる。おそらく、この詳細な設置プランは、ユーザーのフィードバックの視覚化として適応させることも可能である。
【００５３】
第２の視座によれば、この方法に、共通の形状および寸法、または寸法を有する少なくとも必要な数の第１のフロアパネルを提供するステップを必ずしも含んでいなくてもよいことは明らかである。すなわち、エンドユーザー自身が、十分な標準パネルを提供し、第２のフロアパネルの１つ以上を提供するために別のバッチを利用すればよい。
【００５４】
また、確立する設置プランは、フロアを設ける部屋全体に対して一度に確立される必要はないのは明らかである。したがって、例えば、連続する部分的な設置プランを、上記した第１および／または第２の方法、例えば、毎回２列以上、例えば、５列または７列の幅の部分的なプランによって確立することが可能である。相互に隣接する部分的な設置プランは、特定の所望の制限を満たすこともできることは明らかである。例えば、各部分的な設置プランの隣接する列におけるパネルの短い端同士の間の最短距離は、相互に最短距離以上ずらさなければならないことは明白である。
【００５５】
第１並びに第２の視座によれば、少なくとも第２のフロアパネルは、設置プランに関連して、フロアの中の意図した位置を決定することができる識別子を含むことが好ましい。第１のフロアパネルにも、このような識別情報を設けてもよい。第１のフロアパネルの識別は、本発明のセットが同一または部分的に同一の装飾面を有する第１のフロアパネルを含む場合、例えば、上面、例えば、木を模した表面に印刷装飾が施されているフロアパネルの場合に有用であり得る。このような第１のフロアパネルが互いに近いフロアプランに取り込まれないように識別を実行することができ、これは、これが模倣であることを強調することができる。また、複数種類の第１のフロアパネルがある場合、例えば、２種類以上の異なる形状および／または寸法を有する第１のフロアパネルがある場合、所望の設置パターンを確実に得るためには識別は有用である。一般に、識別は、フロアカバーを最も単純に設置することのできる設置手順を示すこともできる。
【００５６】
第１および第２の視座の本発明は、主に、パネル形状の要素を組み立ててなるフロアカバーを用いて適用されることを意図しているが、変形例によれば、壁−壁ビニルまたは壁−壁面カーペットのウェブのような、ウェブ形状要素を組み立ててなるフロアカバーも適用することができることは明らかである。特定の視座によれば、本発明はまた、適切に、また好ましくは、フロアを部屋に設置することを意図するウェブ形状の要素に関するものであり、このウェブ形状要素は、前記部屋に従って実行される、またはそのような適応加工用に設けられる適応加工を含むことを特徴とする。例えば、特に、適応加工は、それぞれの部屋の１つ以上の壁の経路に従って行われる。それぞれの部屋のフロアカバーは、このようなウェブ形状要素の１つ以上を含むことができるとともに、また、変形例による第２の視座の方法は、変更すべきところは変更して、部屋にフロアを設置するためのウェブ形状の要素を組み立てることも好適であることが明らかである。
【００５７】
第２の視座の方法の発明の技術的範囲内で生成されるデータセットによって、巾木(skirting boards)、見切り材(transition profiles)、下床(subfloor)等のようなユーザーが選択できるそれぞれのフロア製品のアクセサリも提供することができる。おそらく、巾木、見切り材および／または下床も、このデータセットに基づいて適応加工することもできる。巾木の場合には、部屋の角部に必要な留め継ぎの合い口を設置の前に、そして、設置とは別に設けることができる。
【００５８】
本発明の特徴をより良く示す目的で、非限定的な例として、添付図面を参照しながらいくつかの好ましい実施形態を説明する。
【図面の簡単な説明】
【００５９】
【図１】本発明の特徴を有するフロアパネルのセットの一部を表している。
【図２】一部を図１で表すフロアパネルのセットによってフロアを設けた部屋の縮小上面図である。
【図３】図１の領域Ｆ３に位置するパネルの変形例を表す図である。
【図４】図３のＦ４で示される領域の変形例をより拡大して示す図である。
【図５】図３のＦ４で示される領域の変形例をより拡大して示す図である。
【図６】図３のＦ４で示される領域の変形例をより拡大して示す図である。
【図７】図３のＦ４で示される領域の変形例をより拡大して示す図である。
【図８】図６に示される線ＸＩＩＩ−ＸＩＩＩに沿った部分を拡大して示す図である。
【図９】その変形例を示す同様の図である。
【図１０】その変形例を示す同様の図である。
【図１１】その変形例を示す同様の図である。
【図１２】その変形例を示す同様の図である。
【図１３】その変形例を示す同様の図である。
【図１４】その変形例を示す同様の図である。
【図１５】フロアを設けた部屋を示す上面図である。
【図１６】設置プランのタイプを表す図である。
【図１７】本発明の第２の視座に係る方法のステップを模式的に表す図である。
【図１８】本発明の第２の視座に係る方法のステップを模式的に表す図である。
【図１９】図１５と同様に、フロアが設けられる部屋の別の設置プランを表す図である。
【図２０】本発明の第２の視座の特徴を有する方法のいくつかのステップを概略的に表す図である。
【図２１】本発明の第２の視座の特徴を有する方法のいくつかのステップを概略的に表す図である。
【図２２】本発明の第２の視座の特徴を有する方法のいくつかのステップを概略的に表す図である。
【図２３】第１の視座の特徴を有するフロアパネルのセットの製造に適したデータを実現するためのワークフローを示す図である。
【発明を実施するための形態】
【００６０】
図１は、部屋３にフロアを設置するように意図した、図２に示すフロアパネルのセット２のパネル１を表す。図１のパネル１は以下に関する。
−第１のフロアパネル１Ａであって、そのセットは複数あり、共通の形状および寸法を示す。この例では、比較的寸法が大きい長方形と長円形、すなわち長さＬが２メートル以上、幅Ｗが２０ｃｍ以上であり、これはフロアパネル１Ａと関連する。フロアパネル１は、フローティングフロアカバーを形成するためのものであり、この目的のため、端４−５−６−７に舌片９と溝１０との形での機械的連結部品８が設けられ、この溝１０は、例では、突出下側溝リップ１１を有する。
−上述のセット２からの複数の第２のフロアパネル１Ｂは、共通の形状および／または共通の寸法の適応加工１２を示すものである。それぞれの適応加工１２は、前述の部屋３に対応する。
【００６１】
上述の第１のフロアパネル１Ａは、選択されたフロア製品の標準フロアパネルに関連する。上述の第２のフロアパネル１Ｂは、フロアが設けられる部屋３に応じて標準フロアパネルを適応加工させることによって得られる。この場合、適応加工１２は毎回、各フロアパネル１Ｂの余剰部分を除去することに関連する。適応加工１２は、毎回、実際の設置の前、そして別途行われる。フロアパネルのセット２は、一部が図１に示されているが、必要な適応加工１２または第２のフロアパネル１Ｂと共に納品される。
【００６２】
この例では、セット２は少なくとも第２のフロアパネル１Ｂを含み、この適応加工１２は長さを短くする短縮１３を含む。これらの第２のフロアパネル１Ｂは、フロアパネル１の列１４の始点または端部を形成するのに好適である。
【００６３】
この例では、セット２は、少なくとも第２のフロアパネル１Ｂを含み、前記適応加工１２は、端における突出部の除去１４の形態である。図示のパネル１５において、これは、短い端７における突出下側溝リップ１１を除去することに関するものである。
【００６４】
この例では、セット２は、少なくとも第２のフロアパネル１Ｂを含み、前記適応加工１２は、１つ以上の端上に設けられた適応加工された輪郭１６を含む。輪郭１６は、現在のピラー(present pillars)３８または支持ポスト(support posts)のような部屋３の壁３６および／または他の端に適応させることができる。
【００６５】
この例では、セット２は、少なくとも第２のフロアパネル１Ｂを含み、適応加工１２は、凹部１７および導管の通過用の適応片１８と、例えば、セントラルヒーティング用導管の通路とを含む。ここで、適応片１８は、この第２のフロアパネル１Ｂの実際の部分１９以外の別のフロアパネルから得られることが可能である。すなわち、このように、実際の部分１９と適応片１８との間の鋸線によって除去された材料が最終フロアカバーの中に継ぎ目を形成することを回避することができる。別フロアパネルの適応片１８を製造することにより、フロアパネル１Ｂの実際の部分１９との接続が得られる。
【００６６】
この例のセット２は、それぞれの部屋３にフロアを設けるのに必要な少なくともすべての第１のフロアパネル１Ａおよび第２のフロアパネル１Ｂを含むものであり、この場合、セット２は、フロアを意図された部屋３に設置するための更なる適応加工を行なう必要がないように実行される。一般に、本発明によれば、これは必要ではない。セット２は、第２のフロアパネル１Ｂとして、フロアパネル１の長さＬの端および／または直線短縮１３の突出部の除去１４よりもさらに進む適応加工１２を含むもののみを含む。
【００６７】
図２は、それぞれの部屋３にフロアを設置するのに必要な第２のフロアパネル１Ｂをクロスハッチングで示している。ここで、部屋３の表面と比較して比較的寸法が大きい第１のフロアパネル１Ａに関して言えば、寸法が、第２のフロアパネル１Ｂは、表面の５０％以上を占める。
【００６８】
図３は、指示マーク２０、この場合は分割線に従って適応加工するように構成された別の第２のフロアパネル１Ｂを表す。この分割線は、設置の前に、そして、設置とは別に各フロアパネルに設けられている。指示マークは、ここでは、フロアパネル１Ｂの装飾面２１上に示すものであるが、下側にも設けてもよい。分割線または指示マーク２０は、端に設けられた１つ以上の連結部８まで拡張してもよい。
【００６９】
図４は、適応加工する、さらに別の第２のフロアパネル１Ｂを表す。この目的のため、パネルには破断線２２が設けられており、この場合には、分割線に従って一連の貫通孔２３が形成されている。図５は、提供された分割線に従って、複数の長円形貫通スロット２４を有する別の例を表している。孔２３およびスロット２４を合体させて、同じ破断線２２とすることができるのは明白である。
【００７０】
図６は、実質的に分割線全体にわたって延在する１本の貫通スロット２４のみを有する別の例を示している。この例では、フロアパネル１Ｂの有用部分２５は、フロアパネル１Ｂの連結部８を介してのみ余剰部分２６に接続されている。わかりやすくするために、図７は、そのような例を示すものであるが、この例のセット２に属さない別の第２のフロアパネル１Ｂも示す。図６の例では、図８にもさらに示すように、破断線２２は、位置２７の間に延びており、この位置は、２つの異なる端４−５、この場合、ここで示す連結部８の遠位端２８より近位側の対向側に位置している。言い換えれば、各端４−５におけるこれらの連結部８の遠位端２８は切断されない。図７の例では、破断線２２は、同じ端５の異なる位置２７の間に延びており、それぞれが、ここで示す連結部８の遠位端２８から近位側に位置している。ユーザーは、有用部分２５と余剰部分２６との間で残りの接続２９を簡単に、例えば、手動または単純なツールによって切断することができることは明らかである。さらに、図６、図７および図８の破断線２２のタイプでは、有用部分２５もまた、単一の残りの接続２９上にわたって、余剰部分２６に接続してもよいことは明らかである。
【００７１】
図８はさらに、積層フロアパネル１に関する例、プリント装飾層３２を有する積層最上層３１および耐摩耗性最上層(a wear-resistant top layer)３３が設けられたコア３０から成る所謂フロアパネルに関し、支持層３４がコアの下側に設けられている。本発明は、任意のタイプのフロアパネルを用いて適用することができるので、例えば、プレハブの寄木細工のような木製のフロアパネル、またはＬＶＴパネルのような合成材料フロアパネルにも適用し、次に他のタイプの最上層を適用できることは明らかである。当業者には、ここに示された破断線２２は、他のタイプのフロアパネルにも適用されることが明らかである。
【００７２】
図８はさらに、例のフロアパネル１Ａ−１Ｂは、少なくとも一対の対向する端４−５に、機械的結合部品(mechanical coupling parts)８を有し、２枚のフロアパネル１Ａー１Ｂをそれぞれの端４〜５で連結できるように構成されており、結合状態では、パネルの面に垂直な垂直方向Ｖ並びに各端４〜５およびパネルの平面に対して垂直な水平方向Ｈにロックが形成される。このような連結部８は、複数の異なる方法で実現することができる。この例では、それらは、実質的に、タング・イン・グルーブ結合(a tongue-in-groove coupling)として設けられる。図１から、この場合、短い端６−７にも機械的連結部品８が設けられていることが明らかである。ここでは、これも、図８に示すタイプのロッキング・タング・イン・グルーブ結合(a locking tongue-in-groove connection)に関連するものでもよい。いわゆるプッシュ・ロック結合プロファイル(so-called push-lock coupling profiles)のような他の可能性も除外されない。このようなプッシュ・ロック結合により、パネル端の下方への移動によってロックが可能であり、例えば、ＷＯ０１／７５２４７から公知のものとして知られている。
【００７３】
図９は、別の実施形態を表しており、破断線２２は、非貫通スロット２４として実現され、ここで、フロアパネル１Ｂの有用部分２５および余剰部分２６は、残りの接続２９によってフロアパネルの下側に存在する材料部分の形で、接続されたままである。この材料部分は、好ましくは、コア３０の一部を含むものである。
【００７４】
図１０は、破断線２２は、非貫通スロット２４として実現され、ここで、フロアパネル１Ｂの余剰部分２６の有用部分２５は、フロアパネル１Ｂの上側に存在する材料部分の形で、残りの接続２９によって接続されたままである一実施形態を示している。この材料部分は、好ましくは、コア３０の一部を含むものである。
【００７５】
図１１は、破断線２２が２本の非貫通スロット２４として実現され、フロアパネル１Ｂの下側から実現されたもの一本と、フロアパネル１Ｂの上側または装飾面２１から実現されたもの一本を有する一実施形態を示している。有用部分２５は、コア３０の材料部分の形で残りの接続２９を介して余剰部分２６に接続されたままとなる。
【００７６】
図１２は、破断線２２が、図１１とほぼ同様に実現されるが、スロット２４が部分的に互いに一致しており、したがって、部分３５が貫通スロットを形成する点が異なる一実施形態を表している。ここで、それぞれの部分３５は、位置２７の間に延びており、これらの位置は、２つの対向する端４−５において、そこに存在する連結部８の遠位端２８から近位側に位置する。
【００７７】
図１３は、破断線２２がほぼ図９と同様に実現されるが、部分３５のスロット２４が貫通するものとして実現されるという点が異なる一実施形態を示している。ここで、それぞれの部分３５は、位置２７の間に延びており、これらの位置は、２つの対向する端４−５において、そこに存在する連結部８の遠位端２８から近位側に位置する。
【００７８】
図１４は、おおよそ図１１のような別の実施形態を示しているが、残りの接続２９は、中央に位置するコア３０の残りの材料部分として、あるいは、言い換えれば、連結部８のプロファイルよりも内側に位置するように実現されている。これにより、連結部８は、各第２のフロアパネル１Ｂの有用部分２５と余剰部分２６との間の、残りの接続２９の割込みの影響は受けなくなる。
【００７９】
図１５は、フロアが設けられる部屋３の面積またはサーフェス・エリア・プランに従って生成されるデータセットのグラフィカル表現である。この場合、データセットは、壁３６、ドア３７のフレーム、柱３８、支柱、導管の通路開口部３９等に従ったデータを含む。フロアを部屋３に設置するためには、ユーザーはフロア製品を選択する必要がある。代替案として、フロア製品を自動的に提示させることも可能であり、またはユーザーが限られた数の提示されたフロア製品から選択することも可能である。
【００８０】
図１６は、図１５の部屋にフロアを設けるためにユーザーが選択することができる設置プラン４０のタイプの一例である。この場合、設置プランは、フロアパネル１の列１４にランダムパターンで導かれ、隣接する列１４内のパネル１の短い端６−７同士の間の最短距離Ｄは、フロア製品に最低限必要とされる距離よりも大きい。
【００８１】
図１７は、導入時に説明した最終設置プランを確定する第２の方法により、ユーザーが上述のタイプの設置プラン４０を、上述のサーフェス・エリア・プラン上にグラフィカルに移動することができることを示している。これは、例えば、スクリーン、より具体的にはタッチ起動スクリーンまたはタッチスクリーンによって実行することができ、ユーザーは、設置プラン４０のタイプとフロアが設けられた部屋３のサーフェス・エリア・プランによって形成された上述の透明層の相互の位置を変更することができる。ここで、ユーザーは、例えば、長い壁と平行に、列１４の主方向を選択することが可能である。コンピュータはユーザーが提案する相互の位置を評価し、この場合、少なくとも図１７の上部の列１４の幅Ｂがフロア製品に必要な最小幅を満たしておらず、少なくとも右側の壁の一部のパネル１Ｂの長さＬ１が必要最小限の長さを満たしていないことから、この例では、表示された相互の位置を不適切として拒絶する。
【００８２】
図１８は、ユーザーが相互の位置を発見し、それをコンピュータが、それぞれの部屋にフロアを設けるのに適切であると評価した状況を表している。ここで、パネル１Ｂの最小幅および最小長の要件は、全体で満たされている。この場合、適切な設置プランを見つけたことが、図１６および図１７の設置プラン４０のタイプの破線が実線になったということで、グラフィカルに示される。サーフェス・エリア・プランの輪郭内にある設置プラン４０のタイプの一部は、図２に示すように、最終的な詳細な設置プランを形成する。
【００８３】
図２は、最終的な詳細な設置プランに基づいて、第１のフロアパネル１Ａの所要数と、所要の適応加工を施した第２のフロアパネル１Ｂの数とを計算することができ、図１５の部屋３へのフロア設置に適した第１の視座のフロアパネルのセット２を構成することができるところを示す。本明細書に記載された方法によって得られた計算結果を適用して、必要な適応加工１２を実行する木材加工装置を制御するため、および／または既に上述のような破断線２２および／または指示マーク２０を提供することができる。
【００８４】
図１９は、フロアを設けるやや理論的な部屋３のサーフェス・エリア・プランに従って生成されるデータセットのグラフィカル表現である。図１９〜図２２は、詳細な設置プランを、この場合、図１９の部屋のために、ランダムパターンで生成するための方法を示す図であり、導入で説明した特定の実施形態がこの目的のために適用される。やや理論的なサーフェス・エリア・プランでは、詳細なサーフェス・エリア・プランを決定する際に、さまざまな考えられる状況や困難を説明することが可能であり、毎回、解決法が発見されていることを示す。
【００８５】
図１９は、最終的な設置プランの列１４に対してユーザーが示す所望の主方向４１を示す。この主方向４１は、例えば、サーフェス・エリア・プランの主軸を決定し、最も長い主軸を主方向４１とすることにより、自動的に算出することができる。サーフェス・エリア・プランが長円形状でなければならないことが示されていない場合には、自動的に長軸を主方向とするべきである。
【００８６】
図２０は、パネル列１４の長手方向の端４２の位置を決定するステップの結果を模式的に表している。もちろん、これらの長手方向の端４２は、確立された主方向４１に延在する。それらの相互距離Ｍはフロア製品の選択によって確立される。この場合、これは１つの共通幅のフロアパネル１Ａを有するフロア製品に関連する。長手方向の端４２の位置は、パネル列１４Ａの端４３における平均幅が最大となるように自動的に行われ、そのような端４３の各列１４Ａの幅は各列１４Ａの最大可能長さにわたって、各フロア製品のパネル１Ａの幅の少なくとも半分となる。
【００８７】
図２１は、パネル列１４の長手方向の端４２とデジタル・サーフェス・エリア・プラン、さらに詳しくは、外の境界(the external borders)４５Ａおよび好ましくは、内の境界(the internal borders)４５Ｂまたはこのサーフェス・エリア・プランとの交点４４を計算するステップの結果を概略的に表す図である。
【００８８】
上述の交点４４に基づいて、続いて、幅全体のパネル列の開始位置と停止位置、並びに同じパネル列１４内に延在する凸型ループ４８Ａおよび凹型ループ４８Ｂとを決定することができる。この目的のために、境界４５Ａ−４５Ｂは系統的に、例えば、ここでは、時計回りの方向に考慮することができ、そして２つの連続する交点４４の座標を比較することができる。簡単な方法で計算するために、ここでは、直交座標系４６を適用することができ、そのうちＸ軸は、前記主方向４１と一致する。このようにして、２つの連続する交点４４間の遷移(the transitions)４７は、次のように分類することができる。
−交点４４のＹ座標が増加する外の境界４５Ａ上の遷移４７Ａ、および交点４４のＹ座標が減少する内の境界４５Ｂ上の遷移４７Ａ。このような遷移４７Ａは、完全幅の列１４の開始位置に関連するものであり、これは、左側で短縮可能な第２のフロアパネルで開始する。
−交点４４のＹ座標が減少する外の境界４５Ａ上の遷移４７Ｂ、および交点４４のＸ座標が増加する内の境界４５Ａの遷移４７Ａ。このような遷移４７Ｂは、完全な幅を有する列１４の端部位置に関連するものであり、これは、右側で短縮可能な第２のフロアパネルで終了する。
−交点４４のＹ座標は変化しない外の境界または内の境界４５Ａ−４５Ｂ上の遷移４７Ｃ。このような遷移はループ４８Ａ−４８Ｂに関連する。外の境界４５Ａにおいて、それぞれの交点４４の間で、Ｘ座標が増加しているときに、Ｙ座標の増加からＹ座標の減少へと切り替えられると、または、Ｘ座標が減少しているときに、Ｘ座標の減少からＹ座標の増加へと切り替えられると、これは、凸型ループ４８Ａに関連する。これを内の境界４５Ｂに関して言えば、このように座標が変化すると、凹型ループ４８Ｂとなる。外の境界４５Ａにおいて、それぞれの交点４４の間で、Ｘ座標が増加しているときに、Ｙ座標の減少からＹ座標の増加へと切り替えられると、または、Ｘ座標が減少しているときに、Ｙ座標の増加からＹ座標の減少へと切り替えられると、これは、凹型ループ４８Ｂに関連する。これが内の境界４５Ｂに関連する場合、このように座標が変化すると、凹型ループ４８Ａとなる。凸型ループ４８Ａはフロアパネル１Ｂへと続き、その幅は短縮される。凹型ループ４８Ｂはフロアパネル１Ｂへと続くが、これは、遷移４７Ａと遷移４７Ｂとの間に延在するとともに当該遷移４８Ｂに隣接するより大きい列１４の一部を形成する。
【００８９】
上述のように、本明細書における境界４５Ａおよび４５Ｂは、時計回りの方向で考慮される。一般の境界は、任意の順序で、例えば、反時計回りに検討できることは明白であるが、その後、実際には前述の分類は、適応された論理に基づいて行われなければならない。また、同じサーフェス・エリア・プランの異なる境界が、別の方法、例えば、外の境界４５Ａを時計回り方向に、また、内の境界４５Ｂを反時計回り方向に検討することも可能である。軸システムも、別の方法で定義することができ、その場合、例えば、別の論理を上記の分類に対して適用する必要がある。そのような適応は当業者の範囲内である。
【００９０】
遷移４７Ａおよび４７Ｂは、それらのＹ座標を比較することによって、単に同じ列１４にリンクさせることができる。ここで、共通Ｙ座標を有する複数の遷移４７Ａ−４７Ｂが存在する場合、それらは、独立した列部分４９がそれらの別の開始遷移４７Ａと停止遷移４７Ｂで得られるように、Ｘ座標に従って順序付けられる。「独立」とは、そのような列部分４９の最終実施形態を、同じ列１４内の他の列部分４９から独立して行うことができることを意味する。この洞察は、本方法と、図１５から図１８によって示される方法との間の重要な違いであり、材料ロスを低減することができる。
【００９１】
図２２は、コンピュータが、遷移４７Ａおよび４７Ｂのそれぞれの間で、すなわち、それぞれの列１４または独立した列部分４９において、第１のフロアパネル１Ａおよび第２のフロアパネル１Ｂを、隣接する列１４の短い端同士の間に保持するべき最短距離Ｄのような所望の制限と、それぞれの列１４または列部４９に延在することができる可能な凹型ループ４８Ｂを検討しつつ提案していることを示す。このような凸型ループ４８Ａは、第２のフロアパネル１Ｂで別途充填することができる。導入部分で説明したように、第１のフロアパネル１Ａと第２のフロアパネル１Ｂは、毎回、利用可能なパネルまたはパネル部のデータベースに基づいて構成することができる。
【００９２】
各遷移４７Ａ−４７Ｂ−４７Ｃが処理されると、詳細な設置プランが完了する。このようにして得られた詳細な設置プランをさらに適用して、すでに説明したように、例えば、必要な適応加工１２を実行するための木材加工機械の制御、および／または破断線２２および／または指示マーク２０を提供する。この例では、必要な適応加工１２は、毎回、関連する遷移４７Ａ−４７Ｂ−４７Ｃの位置で内の境界４５Ｂまたは外の境界４５Ａの部分を実現することを含むことは明らかである。
【００９３】
図２３は、第１の視座の特性を有するフロアパネルのセットを構成するのに適したデータ５０を生成するための好ましいワークフローを極めて概略的に示す。第１の入力５１として、データセット５２を、フロアが設けられる部屋３のサーフェス・エリア・プランに従って使用する。このデータセット５２は、好ましくは、少なくとも情報、好ましくは、例えば、直交軸システム内の、外の境界および／または内の境界４５Ａ−４５Ｂの位置に関する座標を含む。第２の入力としては、例えば、ユーザーの要求や設置の地理上の位置などに関する情報Ｕが使用される。ユーザーの要求により、これは、例えば、所望のフロア製品、所望の設置パターン、例えば、ランダムパターンなどに関係する場合もある。この情報Ｕに基づいて、一方では設置の技術的制限に関する情報Ｔがデータベース５４から検索され、他方では、選択されたフロア製品の利用可能なフロアパネルのデータベース５５が選択される。データベース５５は、部屋３に関連するフロアを提供するために適用し、利用可能なフロアパネル１Ａの一時的なデータベース５６を供給する。このようなデータベース５６は、例えば、各フロアパネルの実際の長さに関するデータを含んでいてもよい。この後者は、ランダムな長さのパネル１Ａを有するフロア製品の場合に特に有用である。
【００９４】
そして、第１のフロアパネル１Ａのデータベース５６と情報Ｔと情報Ｕとが、詳細なサーフェス・エリア・プランの計算Ｃに適用される。これは、例えば、図１９から図２２によって説明される計算Ｃに関連するものでもよい。この場合、計算Ｃが行われるたび、利用可能なフロアパネルがデータベース５６から取得されて第１のフロアパネル１Ａを追加するか、またはた第２のフロアパネル１Ｂを実現する。この最後のケースでは、第２のフロアパネル１Ｂの余剰部分２６がデータベース５６に戻されるので、次の第２のフロアパネル１Ｂの実現が可能になる。
【００９５】
出力５７として、最終的に、部屋３にフロアを設置するのに適したフロアパネルのセット２を構成するのに好適なデータ５０が作成される。これらのデータ５０は、少なくとも、第２のフロアパネル１Ｂに対する必要な適応加工１２に関する情報を含んでいる。データ５０は、例えば、第２のフロアパネル１Ｂごとに、適応加工１２の輪郭の座標を含んでいてもよい。さらに、データ５０は、詳細な設置プランに関する情報を含むことができるため、例えば、データ５０は、部屋３内における第１および第２のフロアパネル１Ａ−１Ｂの意図された位置を含んでいてもよい。
【００９６】
図２３において、点線５８の長方形は、コンピュータ内部で実行されることが好ましいプロセスを表している。
【００９７】
本発明は、部屋３にフロアを設置するための詳細な設置プランを生成するためにおよび／または部屋３内にフロアを設置するのに適したフロアパネルのセット２を形成するために適したデータ５０を生成するためにプログラムされたマイクロプロセッサ、並びに／あるいはそのようなプログラムまたはその実質的な部分を含むデジタルデータメディアにも関連することは明らかである。
【００９８】
本発明は、上述の実施形態に限定されるものではないが、本発明の範囲を逸脱することなく、本発明のフロアパネルのセットおよびその組み立て方法を種々の方法で実現することができる。
【符号の説明】
【００９９】
１Ａ  フロアパネル
１Ｂ  フロアパネル
３  部屋
２  フロアパネルのセット
４、５、６、７  端
１２  適応加工
１４  列
１７  凹部
１８  適応端
２５  有用部分
２６  余剰部分
３６  壁
４０  設置プラン
５６  データベース
【図１】
2020514575.tif 000003
【図２】
2020514575.tif 000004
【図３】
2020514575.tif 000005
【図４】
2020514575.tif 000006
【図５】
2020514575.tif 000007
【図６】
2020514575.tif 000008
【図７】
2020514575.tif 000009
【図８】
2020514575.tif 000010
【図９】
2020514575.tif 000011
【図１０】
2020514575.tif 000012
【図１１】
2020514575.tif 000013
【図１２】
2020514575.tif 000014
【図１３】
2020514575.tif 000015
【図１４】
2020514575.tif 000016
【図１５】
2020514575.tif 000017
【図１６】
2020514575.tif 000018
【図１７】
2020514575.tif 000019
【図１８】
2020514575.tif 000020
【図１９】
2020514575.tif 000021
【図２０】
2020514575.tif 000022
【図２１】
2020514575.tif 000023
【図２２】
2020514575.tif 000024
【図２３】
2020514575.tif 000025
【国際調査報告】
2020514575.tif 000026
2020514575.tif 000027
2020514575.tif 000028